(57)【要約】【課題】カメラ端末により撮像した画像データを、通信網を介して離れた場所の表示端末に送信し、この表示端末の表示領域が小さい場合であっても、利用者は画像全体を見たり、一部抜き出して拡大画像を見たりすることができ、さらに、その画像の切り替え表示をより速く行うことを可能にした画像表示装置の提供を目的とする。【解決手段】カメラ装置を備えた端末から送信された画像データを記憶する画像データ記憶部１１と、画像データの縮小または一部抜き出しのいずれかの調整方法を指定する表示モード切替操作部１４と、画像データを操作部により指定された調整方法により調整する画像データ調整部１２と、画像データ調整部１２による調整後の画像データを表示する画像データ表示部１３とを備える。【選択図】図２
2005223680.tif 000002
【特許請求の範囲】
【請求項１】
カメラ装置を備えた端末と通信網を介して接続される画像表示装置であって、前記カメラ装置を備えた端末から送信された画像データを記憶する記憶部と、前記画像データの縮小または一部抜き出しのいずれかの調整方法を指定する操作部と、前記画像データを前記操作部により指定された調整方法により調整する調整部と、前記調整部による調整後の画像データを表示する表示部とを備えたことを特徴とする画像表示装置。
【請求項２】
前記調整部により調整する画像データの一部抜き出しの位置を指定する位置指定部を備え、前記調整部は、前記位置指定部により指定された位置の画像データを一部抜き出しするものであることを特徴とする請求項１記載の画像表示装置。
【発明の詳細な説明】
【技術分野】
【０００１】
本発明は、通信網を介して接続されるカメラ装置を備えた端末から送信された画像データを表示する画像表示装置に関する。
【背景技術】
【０００２】
カメラ装置を備えた端末（以下、「カメラ端末」と称す。）により撮像した画像データを、通信網を介して離れた場所の表示端末に送信し、この表示端末により表示することが行われている（例えば、特許文献１，２参照。）。
【０００３】
また、カメラ端末により撮像した画像が、表示端末の表示領域よりも大きい場合、表示端末の表示領域内に収まるようにカメラ端末側で撮像範囲を調整して送信（特許文献１参照。）したり、撮像した画像データの中で表示端末の表示領域内に収まる部分をカメラ端末側で抜き出して送信（特許文献２参照。）したりしている。
【０００４】
なお、これらの調整範囲や抜き出し範囲については、表示端末側で指示を行い、カメラ端末側ではこの指示に基づいて処理を行う（特許文献１，２参照。）。
【特許文献１】特開２００１−６１１３８号公報
【特許文献２】特開２００２−２６２２７６号公報
【発明の開示】
【発明が解決しようとする課題】
【０００５】
上記のように、従来の方法では、カメラ端末側において画像データの調整を行ってから表示端末へと送信するため、調整範囲や抜き出し範囲の指示を行った都度、カメラ端末側で処理を行い、画像データを再送信する必要がある。
【０００６】
したがって、カメラ端末側において撮像した画像の全領域を表示領域内に収まるように縮小して表示したり、一部を抜き出して表示したりといった操作を繰り返し行い、表示画像を切り替えながら確認したいような場合、切り替えごとに画像データの送受信が伴うため、画像の切り替え表示に時間が掛かってしまう。
【０００７】
そこで、本発明においては、カメラ端末により撮像した画像データを、通信網を介して離れた場所の表示端末に送信し、この表示端末により表示する場合に、画像の切り替え表示をより速く行うことを可能にした画像表示装置を提供することを目的とする。
【課題を解決するための手段】
【０００８】
上記課題を解決するため、本発明の画像表示装置は、カメラ装置を備えた端末から送信された画像データを記憶する記憶部と、画像データの縮小または一部抜き出しのいずれかの調整方法を指定する操作部と、画像データを操作部により指定された調整方法により調整する調整部と、調整部による調整後の画像データを表示する表示部とを備えたものである。
【発明の効果】
【０００９】
本発明によれば、操作部により縮小または一部抜き出しによる画像の調整方法の切り替えが指示された際、その都度カメラ装置を備えた端末から通信網を介して画像データを受信することなく、一旦送信された画像データを記憶部に記憶する画像表示装置において画像調整を行い、より速く画像の切り替え表示を行うことが可能となる。また、撮像側において送信される画像サイズが数種類に規定されており、画像データの縮小や一部抜き出し
して送信することができないビデオフォンのようなシステムであっても、利用者は画像を切り替え表示して画像全体を見たり、一部抜き出しして拡大画像を見たりすることができるため、利用者の満足度を向上することが可能である。
【発明を実施するための最良の形態】
【００１０】
本願の第１の発明は、カメラ装置を備えた端末と通信網を介して接続される画像表示装置であって、カメラ装置を備えた端末から送信された画像データを記憶する記憶部と、画像データの縮小または一部抜き出しのいずれかの調整方法を指定する操作部と、画像データを操作部により指定された調整方法により調整する調整部と、調整部による調整後の画像データを表示する表示部とを備えた画像表示装置としたものであり、カメラ装置を備えた端末から送信された画像データを受信した後、この受信した画像データが記憶部に記憶され、この記憶部から画像データを取り出されて操作部により指定されたいずれかの調整方法により縮小または一部抜き出しによる調整が行われ、表示部に表示される。これにより、操作部により縮小または一部抜き出しによる画像の調整方法の切り替えが指示された際、その都度カメラ装置を備えた端末から通信網を介して画像データを受信することなく、一旦送信された画像データを記憶部に記憶する画像表示装置において画像調整を行い、より速く画像の切り替え表示を行うことが可能となる。
【００１１】
本願の第２の発明は、調整部により調整する画像データの一部抜き出しの位置を指定する位置指定部を備え、調整部は、位置指定部により指定された位置の画像データを一部抜き出しするものである画像表示装置としたものであり、操作部により一部抜き出しによる画像の調整方法が指示されている場合に、位置指定部により指定された一部抜き出しの位置において画像データの一部抜き出しによる調整が行われ、表示部に表示される。これにより、位置指定部により一部抜き出しの位置の切り替えが指示された際、その都度カメラ装置を備えた端末から通信網を介して画像データを受信することなく、一旦送信された画像データを記憶部に記憶する画像表示装置において画像調整を行い、より速く画像の切り替え表示を行うことが可能となる。
【００１２】
以下、本発明の実施の形態について図面を参照して説明する。
【００１３】
図１は本発明の実施の形態におけるビデオフォンシステムの構成図である。
【００１４】
図１に示すように、本実施の形態におけるビデオフォンシステムは、無線通信網３を介して相互に接続されるビデオフォン装置１，２からなる。ビデオフォン装置１，２は、それぞれカメラ装置、画像表示装置および通信装置（いずれも図示せず。）を備える端末である。なお、図１においては、２台のビデオフォン装置１，２のみ示しているが、他のビデオフォン装置を接続することも可能である。また、無線通信網３以外に有線通信網等の通信網により接続することも可能である。
【００１５】
図２は図１のビデオフォン装置１に備える画像表示装置のブロック構成図である。
【００１６】
図２に示すように、ビデオフォン装置１は、他のビデオフォン装置（例えば、ビデオフォン装置２）から送信された画像データを記憶する画像データ記憶部１１と、画像データを縮小または一部抜き出しすることにより調整する画像データ調整部１２と、画像データ調整部１２により調整された画像データを表示する画像データ表示部１３と、画像データの“縮小”または“一部抜き出し”のいずれかの調整方法を指定する表示モード切替操作部１４と、画像データ調整部１２により調整する画像データの一部抜き出しの位置を指定する表示位置指定操作部１５と、表示モード切替操作部１４および表示位置指定操作部１５の指示に基づいて画像データ調整部１２を制御する制御部１６とを有する。
【００１７】
画像データ調整部１２は、画像データを画像データ表示部１３の表示領域内に収まるように縮小する画像縮小部１２ａと、画像データの一部を抜き出す画像カット部１２ｂとからなる。制御部１６は、表示モード切替操作部１４の指示に基づいて、画像データを画像縮小部１２ａと画像カット部１２ｂとのいずれかにより調整するよう画像データ調整部１２を制御する。また、制御部１６は、表示位置指定操作部１５の指示により指定された位置の画像データを画像カット部１２ｂにより一部抜き出しするように画像データ調整部１２を制御する。
【００１８】
なお、ビデオフォン装置２の構成については、ビデオフォン装置１と同様である。
【００１９】
上記構成のビデオフォンシステムによる処理について説明する。図３は画像データ調整のイメージ図である。
【００２０】
ビデオフォン装置２のカメラ装置により撮像された画像のデータが無線通信網３を介してビデオフォン装置１に送信された際、この送信された画像データは、ビデオフォン装置１の通信装置によって受信され、画像データ記憶部１１に記憶される。図３のＤ0は、画像データ記憶部１１に記憶された画像データを示している。この画像データＤ0は、ビデオフォン装置２のカメラ装置により撮像された画像全体のデータである。
【００２１】
表示モード切替操作部１４により画像データの調整方法として“縮小”が指定されている場合、制御部１６は画像データ調整部１２に対し、画像データＤ0を画像縮小部１２ａにより調整するよう制御する。これにより、画像データ調整部１２は、画像データ記憶部１１から画像データＤ0を取り出し、画像縮小部１２ａにより画像データ表示部１３の表示領域１３ａ内に収まるように縮小する。図３のＤ1は、この縮小された画像データを示している。
【００２２】
一方、表示モード切替操作部１４により画像データの調整方法として“一部抜き出し”が指定されている場合、制御部１６は画像データ調整部１２に対し、画像データＤ0を画像カット部１２ｂにより調整するよう制御する。これにより、画像データ調整部１２は、画像データ記憶部１１から画像データＤ0を取り出し、画像カット部１２ｂにより画像データＤ0の一部として画像データ表示領域１３ａに表示可能な大きさの画像データＤ2を抜き出す。
【００２３】
このとき、表示位置指定操作部１５により画像データの一部抜き出しの位置Ｐが指定されている場合には、制御部１６は画像データ調整部１２に対し、表示位置指定操作部１５の指示により指定された位置Ｐの画像データＤ2を画像カット部１２ｂにより一部抜き出しするように制御する。
【００２４】
こうして画像データ調整部１２により調整された後の画像データＤ1，Ｄ2は、画像データ表示部１３に渡され、画像データ表示部１３により表示される。
【００２５】
そして、制御部１６は、表示モード切替操作部１４による“縮小”または“一部抜き出し”による画像の調整方法の切り替えが指示された際、および表示位置指定操作部１５による一部抜き出しの位置の切り替えが指示された際、その都度、画像データ調整部１２により画像調整を行うように制御する。
【００２６】
なお、本実施の形態におけるビデオフォンシステムでは、ビデオフォン装置２のカメラ装置により順次撮像された画像データＤ0は、その都度、全データがビデオフォン装置１に送信されるのではなく、前回送信された画像データと画像データＤ0との差分のデータが送信されるものとし、この送信されたデータはビデオフォン装置１により前回送信され
た画像データと比較され、画像データＤ0へと復元されて画像データ記憶部１１に記憶されるものとする。あるいは、順次撮像された画像データＤ0の全てをその都度送信する構成とすることも可能である。
【００２７】
以上のように、本実施の形態におけるビデオフォン装置１は、ビデオフォン装置２から送信された画像データＤ0を受信した後、この受信した画像データＤ0を画像データ記憶部１１に記憶しておき、表示モード切替操作部１４により調整方法が指定された際、画像データ記憶部１１から画像データＤ0を取り出して画像データ調整部１２により調整を行い、画像データ表示部１３に表示する。
【００２８】
すなわち、本実施の形態におけるビデオフォン装置１では、表示モード切替操作部１４により縮小または一部抜き出しによる画像の調整方法の切り替えが指示された際、その都度ビデオフォン装置２から無線通信網３を介して画像データＤ0を受信することなく、画像データ記憶部１１に記憶する画像データＤ0を取り出して画像調整を行い、画像データ表示部１３に表示するため、より速く画像の切り替え表示を行うことができる。
【００２９】
また、表示モード切替操作部１４により一部抜き出しによる画像の調整方法が指示されている場合には、画像データ記憶部１１から画像データＤ0が取り出され、表示位置指定操作部１５により指定された一部抜き出しの位置において画像データＤ2の一部抜き出しによる調整が行われ、画像データ表示部１３に表示されるため、前述と同様、より速く画像の切り替え表示を行うことができる。
【００３０】
特に、ビデオフォンシステムの場合、ビデオフォン装置１，２間で送信される画像のサイズが数種類に規定されているため、ビデオフォン装置２で撮像した画像データＤ0をビデオフォン装置１の要求に応じて縮小または一部抜き出しして送信することができないが、本実施の形態におけるビデオフォンシステムでは、受信側のビデオフォン装置１において縮小または一部抜き出しによる画像調整を行うことができるため、ビデオフォン装置１の画像表示装置の表示領域が小さい場合であっても、利用者は画像を切り替え表示して画像全体を見たり、一部抜き出しして拡大画像を見たりすることができる。
【産業上の利用可能性】
【００３１】
本発明の画像表示装置は、通信網を介して接続されるカメラ装置を備えた端末から送信された画像データを表示する装置として有用であり、画像の切り替え表示をより速く行うことが要求されるシステムや、特にビデオフォンシステムのように撮像側において送信される画像サイズが数種類に規定されており、画像データの縮小や一部抜き出しして送信することができないシステムに好適である。
【図面の簡単な説明】
【００３２】
【図１】本発明の実施の形態におけるビデオフォンシステムの構成図
【図２】図１のビデオフォン装置に備える画像表示装置のブロック構成図
【図３】画像データ調整のイメージ図
【符号の説明】
【００３３】
１，２    ビデオフォン装置
３    無線通信網
１１    画像データ記憶部
１２    画像データ調整部
１２ａ    画像縮小部
１２ｂ    画像カット部
１３    画像データ表示部
１４    表示モード切替操作部
１５    表示位置指定操作部
１６    制御部
【図１】
2005223680.tif 000003
【図２】
2005223680.tif 000004
【図３】
2005223680.tif 000005